(57)【要約】【課題】固定焦点式の撮像装置で、特に至近側のピンボケとなる撮影距離を容易に認識し、失敗なく撮影する。【解決手段】被写体像を撮影するための撮像レンズ系１２と、この撮像レンズ系１２の合焦範囲を外れた手前側に合焦した投影レンズ系３６を用いて光源３２の発光を被写体方向に投影する警告投影部３１とを備える。【選択図】    図１
2004163833.tif 000002
【特許請求の範囲】
【請求項１】
被写体像を撮影するための撮像レンズ系と、
この撮像レンズ系の合焦範囲を外れた範囲で合焦する投影レンズ系を用いて光源の発光を上記被写体方向に投影する警告投影手段と
を具備したことを特徴とする撮像装置。
【請求項２】
上記警告投影手段は、上記撮像レンズ系を用いる撮像時に投影を停止することを特徴とする請求項１記載の撮像装置。
【請求項３】
上記警告投影手段は、上記撮像レンズ系で撮影する被写体に対応して投影の輝度及び色の少なくとも一方を変更することを特徴とする請求項１記載の撮像装置。
【請求項４】
上記警告投影手段は、撮像レンズ系の合焦範囲外を意味する警告画像を投影することを特徴とする請求項１記載の撮像装置。
【請求項５】
上記撮像レンズ系及び投影レンズ系はそれぞれ焦点距離の可変機構を有し、
上記警告投影手段は、上記撮像レンズ系の焦点距離に対応して投影レンズ系の焦点距離を可変して合焦位置を移動させる
ことを特徴とする請求項１記載の撮像装置。
【請求項６】
上記撮像レンズ系は焦点距離の可変機構を有し、少なくともマクロ撮影用の焦点距離の可変機構を有することを特徴とする請求項１記載の撮像装置。
【請求項７】
上記警告投影手段は、上記撮像レンズ系がマクロ撮影用の焦点距離となっている状態では投影を停止することを特徴とする請求項６記載の撮像装置。
【請求項８】
装置本体が保持されている縦横位置を検出する検出手段と、
上記投影画像の投影方向を回転する回転手段と
をさらに具備し、
上記警告投影手段は、上記検出手段の検出結果に対応して上記回転手段により上記投影画像の投影方向を回転させる
ことを特徴とする請求項４記載の撮像装置。
【請求項９】
被写体像を撮影するための撮像レンズ系の合焦範囲を外れた範囲で合焦する投影レンズ系を用い、光源の発光を上記被写体方向に投影する警告投影手段を有したことを特徴とする撮像方法。
【発明の詳細な説明】
【０００１】
【発明の属する技術分野】
本発明は、特に固定焦点のレンズ光学系を有するカメラ等に好適な撮像装置及び撮像方法に関する。
【０００２】
【従来の技術】
被写界深度を充分に大きく設定することでレンズ光学系の焦点調節機構を不要とした固定焦点式のカメラがある。この種のカメラでは、例えば、“撮影可能範囲１［ｍ］〜∞”といったように予め最低限の合焦状態も得られない近景の範囲をカメラ本体や取扱い説明書に数値で表示している。したがって、この種のカメラのユーザは、被写体との距離を目測してその範囲を外れるように（上記例では１ｍ以上離れる。）撮影位置を移動する必要がある。
【０００３】
また、この種のカメラで、レンズ光学系の一部を切換えることにより、マクロ撮影も可能としたものもあり、マクロ撮影の機能を選択することで、花や昆虫などの接写撮影を楽しめるようになる。
【０００４】
一般に固定焦点式のカメラでは、上述した如くユーザ自らがそのカメラ固有の合焦範囲を把握しておかなければならない。
【０００５】
加えて、上記したマクロ撮影機能を備えた固定焦点式のカメラでは、マクロ撮影の機能を設定しているか否かにより合焦範囲が大きく異なるので、撮影時には当該機能の設定の有無も併せて把握しておかなければならない。
【０００６】
ところで、ファインダ光学系と撮影光学系とが別体になっていてパノラマ撮影とマクロ撮影とが可能なカメラで、パノラマ撮影とマクロ撮影とを同時に設定した場合に自動的に撮影を禁止するようにしたものが提案されている。（例えば、特許文献１参照。）
この提案のカメラは、マクロ撮影時にファインダ光学系で見える視野と撮影光学系で撮影しようとする視野のずれ（＝パララックス）、特に上下方向のずれが大きいため、画面の上下端を部分的にマスクして撮影しないパノラマ撮影ではユーザの意図する構図の被写体像が撮影されないものとして、その撮影を禁止するものである。
【０００７】
【特許文献１】
特開平０６−１９４７３２号公報
【０００８】
【発明が解決しようとする課題】
上述した如く固定焦点式のカメラは、ユーザがそのカメラ固有の合焦範囲を把握しておかなければならないことに加え、特にマクロ撮影機能を備えたものでは、その機能の設定の有無も併せて把握しておかなければならない。
【０００９】
そのため、例えば観光地でレンズ付きフィルムを購入した場合も含めて、ユーザが初めて使用するカメラで至近側の合焦が得られない範囲を把握しないままに撮影を行なった場合、合焦範囲をはずれた、所謂ピンボケの画像が得られる可能性がある。
【００１０】
また、上述した特許文献１は、パララックスを考慮してパノラマ撮影とマクロ撮影の同時設定による撮影を自動的に禁止するようにしたものである。したがって、固定焦点式のカメラにこの特許文献１の技術を適用したとしても、パノラマ撮影とマクロ撮影を同時設定していなければ、至近側で合焦範囲をはずれた、所謂ピンボケの画像を撮影してしまう可能性は依然としてなくならない。
【００１１】
本発明は上記のような実情に鑑みてなされたもので、その目的とするところは、自動合焦のための制御動作を全く行なわない固定焦点式の撮像装置で、ユーザがその装置固有の合焦範囲を把握しておらずとも、特に至近側のピンボケとなる撮影距離を容易に認識し、失敗なく撮影することが可能な撮像装置及び撮像方法を提供することにある。
【００１２】
【課題を解決するための手段】
請求項１記載の発明は、被写体像を撮影するための撮像レンズ系と、この撮像レンズ系の合焦範囲を外れた範囲で合焦する投影レンズ系を用いて光源の発光を上記被写体方向に投影する警告投影手段とを具備したことを特徴とする。
【００１３】
このような構成とすれば、自動合焦のための制御動作を全く行なわない固定焦点式の撮像装置で、ユーザがその装置固有の合焦範囲を把握しておらずとも、特に至近側のピンボケとなる撮影距離を容易に認識し、失敗なく撮影することが可能となる。
【００１４】
請求項２記載の発明は、上記請求項１記載の発明において、上記警告投影手段は、上記撮像レンズ系を用いる撮像時に投影を停止することを特徴とする。
【００１５】
このような構成とすれば、上記請求項１記載の発明の作用に加えて、光源の発光を撮影画像中に写し込んでしまうのを確実に防止できる。
【００１６】
請求項３記載の発明は、上記請求項１記載の発明において、上記警告投影手段は、上記撮像レンズ系で撮影する被写体に対応して投影の輝度及び色の少なくとも一方を変更することを特徴とする。
【００１７】
このような構成とすれば、上記請求項１記載の発明の作用に加えて、被写体の色や明るさに対応して常に投影の有無をユーザに確実に認識させることができる。
【００１８】
請求項４記載の発明は、上記請求項１記載の発明において、上記警告投影手段は、撮像レンズ系の合焦範囲外を意味する警告画像を投影することを特徴とする。
【００１９】
このような構成とすれば、上記請求項１記載の発明の作用に加えて、撮像レンズ系の合焦範囲外を意味する、例えば文字や記号、シンボルマーク等、ユーザがより理解し易い形態で警告画像を投影することで、ピンボケとなる状態をより容易にユーザに認識させることができる。
【００２０】
請求項５記載の発明は、上記請求項１記載の発明において、上記撮像レンズ系及び投影レンズ系はそれぞれ焦点距離の可変機構を有し、上記警告投影手段は、上記撮像レンズ系の焦点距離に対応して投影レンズ系の焦点距離を可変して合焦位置を移動させることを特徴とする。
【００２１】
このような構成とすれば、上記請求項１記載の発明の作用に加えて、多焦点レンズを有する装置でも、その時点で選択している焦点距離に対応して正しく警告のための投影位置を移動させることができる。
【００２２】
請求項６記載の発明は、上記請求項１記載の発明において、上記撮像レンズ系は焦点距離の可変機構を有し、少なくともマクロ撮影用の焦点距離の可変機構を有することを特徴とする。
【００２３】
このような構成とすれば、上記請求項５記載の発明の作用に加えて、特に合焦範囲が大変狭いマクロ撮影に際して有効に活用できる。
【００２４】
請求項７記載の発明は、上記請求項６記載の発明において、上記警告投影手段は、上記撮像レンズ系がマクロ撮影用の焦点距離となっている状態では投影を停止することを特徴とする。
【００２５】
このような構成とすれば、上記請求項６記載の発明の作用に加えて、マクロ撮影時の合焦範囲は通常撮影時の合焦範囲から外れた合焦できない範囲がほぼ同じであり、マクロ撮影時の合焦範囲から外れる範囲は狭いため、マクロ撮影時には上記投影を停止し、代わって他の警告ランプやモニタ部での報知を行なうものとして、マクロ撮影の合焦位置の注意を促すことも有効となる。
【００２６】
請求項８記載の発明は、上記請求項４記載の発明において、装置本体が保持されている縦横位置を検出する検出手段と、上記投影画像の投影方向を回転する回転手段とをさらに具備し、上記警告投影手段は、上記検出手段の検出結果に対応して上記回転手段により上記投影画像の投影方向を回転させることを特徴とする。
【００２７】
このような構成とすれば、上記請求項４記載の発明の作用に加えて、その時点で装置本体が保持されている縦横位置に対応して投影内容が常に正しい向きで提示されるため、ユーザが認識し易い。
【００２８】
請求項９記載の発明は、被写体像を撮影するための撮像レンズ系の合焦範囲を外れた範囲で合焦する投影レンズ系を用い、光源の発光を上記被写体方向に投影する警告投影手段を有したことを特徴とする。
【００２９】
このような方法とすれば、自動合焦のための制御動作を全く行なわない固定焦点式の撮像装置で、ユーザがその装置固有の合焦範囲を把握しておらずとも、特に至近側のピンボケとなる撮影距離を容易に認識し、失敗なく撮影することが可能となる。
【００３０】
【発明の実施の形態】
（第１の実施形態）
以下本発明を固定焦点式のデジタルスチルカメラに適用した場合の第１の実施形態について図面を参照して説明する。
【００３１】
図１はその回路構成を示すもので、１０がデジタルスチルカメラである。このデジタルスチルカメラ１０は、基本モードとして撮影モードと再生モードとを切換えて設定可能である。撮影モードでのモニタリング状態においては、モータ（Ｍ）１１の駆動により絞り位置が移動される固定焦点式のレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００３２】
この光電変換出力は、アナログ値の信号の状態でＲＧＢの各原色成分毎に適宜ゲイン調整された後に、サンプルホールド（Ｓ／Ｈ）回路１６でサンプルホールドされ、Ａ／Ｄ変換器１７でデジタルデータに変換されてカラープロセス回路１８へ出力される。
【００３３】
このカラープロセス回路１８は、Ａ／Ｄ変換器１７から送られてくる画像のデジタルデータに対する画素補間処理及びγ補正処理を含むカラープロセス処理を行ない、デジタル値の輝度信号Ｙ及び色差信号Ｃｂ，Ｃｒを生成してＤＭＡ（Ｄｉｒｅｃｔ  Ｍｅｍｏｒｙ  Ａｃｃｅｓｓ）コントローラ１９に出力する。
【００３４】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送出力する。
【００３５】
制御部２２は、このデジタルスチルカメラ１０全体の動作制御を司るべく、ＣＰＵと動作プログラムを記憶したＲＯＭ、ワークメモリとしてのＲＡＭ等から構成されるものであり、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００３６】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００３７】
この表示部２６は、例えばバックライト付のカラー液晶表示パネルとその駆動回路とで構成され、デジタルスチルカメラ１０本体の背面側に固定的に配設されて、撮影モード時にはモニタ表示部（電子ファインダ）として機能するもので、デジタルビデオエンコーダ２５からのビデオ信号に基づいた表示を行なうことで、その時点でＣＣＤ１３での撮像によりＶＲＡＭコントローラ２３から取込んでいる画像情報に基づく画像を表示することとなる。
【００３８】
このように表示部２６にその時点での画像をモニタ画像としてリアルタイムに表示させている状態で、静止画撮影を行ないたいタイミングでキー入力部２７を構成する複数のキー中のシャッタキーを操作すると、トリガ信号を発生する。
【００３９】
制御部２２は、このトリガ信号に応じてその時点でＣＣＤ１３から取込んでいる１フレーム分の輝度及び色差信号のＤＲＡＭ２１へのＤＭＡ転送の終了後、直ちにＣＣＤ１３からＤＲＡＭ２１への経路を停止し、記録保存の状態に遷移する。
【００４０】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２８に書込み、このＪＰＥＧ回路２８でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４１】
そして、得た符号データを１フレームのデータファイルとして該ＪＰＥＧ回路２８から読出し、このデジタルスチルカメラ１０の記録媒体として着脱自在に装着される、不揮発性メモリであるフラッシュメモリを封入したメモリカード２９に書込む。
【００４２】
そして、１フレーム分の輝度及び色差信号の圧縮処理及びメモリカード２９への全圧縮データの書込み終了に伴なって、制御部２２はＣＣＤ１３からＤＲＡＭ２１への経路を再び起動する。
【００４３】
なお、制御部２２にはさらに、警告制御部３０及び縦横センサ３７が接続される。
警告制御部３０は、制御部２２の制御の下に、警告投影部３１を構成する投影ランプ３２を点灯駆動する一方で、モータ（Ｍ）３３を回転駆動する。
【００４４】
警告投影部３１は、投影ランプ３２とモータ３３の他に、リフレクタ３４、投影パネル３５、及び投影レンズ系３６を有する。
【００４５】
投影ランプ３２は、ＬＥＤ（発光ダイオード）やＥＬ（エレクトロルミネセンス）等で構成するもので、警告制御部３０の駆動により光源である投影ランプ３２が点灯すると、その発光はリフレクタ３４で反射されて投影パネル３５を透過し、投影レンズ系３６により被写体方向に投射される。
【００４６】
投影パネル３５は、固定焦点式である上記レンズ光学系１２の合焦範囲を外れた、特に至近側に投影する警告画像を透明フィルムに形成したものであり、モータ３３の駆動によりその投影内容が９０°単位で回転する。
【００４７】
投影レンズ系３６は、上記レンズ光学系１２の合焦範囲を外れた至近側に合焦するべく設定されており、上記投影ランプ３２の発光により投影パネル３５を透過して得られる警告画像を上記レンズ光学系１２の合焦範囲を外れた至近側位置に拡大して結像させる。
【００４８】
縦横センサ３７は、このデジタルスチルカメラ１０のホールド状態、すなわち横位置であるか、縦位置であるか、また縦位置であれば本体のシャッタキー及びグリップが設けられた側が上であるか、下であるかを検出し、その検出結果を上記制御部２２へ出力する。
【００４９】
また、上記キー入力部２７は、上述したシャッタキーの他に、電源キー、基本モードである撮影（ＲＥＣ）モードと再生（ＰＬＡＹ）モードとを切換えるモード切換えキー、ストロボの発光モードを選択設定するストロボモードキー、各種メニュー項目を表示させる「メニュー」キー、画像や各種詳細モードの選択、メニュー選択項目の指定等のために上下左右各方向を指示するための十字キー、この十字キーの中央部に配置され、その時点で選択されている内容を指示設定する「セット」キー、上記表示部２６での表示をオン／オフするディスプレイキー等から構成され、それらのキー操作に伴なう信号は直接制御部２２へ送出される。
【００５０】
さらに、ここでは図示しないが、このデジタルスチルカメラ１０には光学ファインダも備えるものとし、ユーザはモニタ表示部である表示部２６または光学ファインダにより被写体を視認した上で上記シャッタキーの操作により撮影を実行する。
【００５１】
次に上記実施形態の動作について説明する。
図２は、電源を投入してから撮影を実行するまでの一連の処理の流れを示すものであり、デジタルスチルカメラ１０内の動作については制御部２２がその制御を司る。
【００５２】
処理当初にはキー入力部２７の電源キーの操作により電源が投入されるのを待機し（ステップＡ０１）、電源が投入されたと判断した時点で警告制御部３０により警告投影部３１の投影ランプ３２を点灯させる（ステップＡ０２）。
【００５３】
これにより、レンズ光学系１２の合焦範囲を外れた至近側の特定距離の空間に、上記投影パネル３５に形成されている警告画像が拡大して投影される。
【００５４】
このデジタルスチルカメラ１０のユーザは、モニタ表示部である表示部２６か、または光学ファインダを視認して、被写体上に警告画像が投影されているか否か、すなわち該警告映像が見えるか否かを判断する（ステップＡ０３）。
【００５５】
図３は、警告画像ＷＩが被写体Ｓに投影された状態を例示するものである。ここでは、光源である投影ランプ３２からの光が投影パネル３５を透過することで、投影パネル３５に形成されている警告画像ＷＩが投影レンズ系３６により被写体Ｓ上に投影されている。
【００５６】
投影レンズ系３６は、上述した如くレンズ光学系１２の合焦範囲を外れた至近側で結像するように設定されている。したがって、同図に示すように被写体Ｓに警告画像ＷＩが投影されている状態では、被写体Ｓに合焦することができず、撮影で得られる画像はピンボケとなることを示している。
【００５７】
そのためこのデジタルスチルカメラ１０を保持するユーザは、被写体Ｓ上に警告画像ＷＩが視認できると判断した場合にのみ、被写体Ｓに警告画像ＷＩが投影されなくなるように一旦被写体Ｓから離れ（ステップＡ０４）、あらためて被写体Ｓを撮影するべく構図を決定する（ステップＡ０５）。
【００５８】
デジタルスチルカメラ１０内では、制御部２２がキー入力部２７のシャッタキーの操作があるのを待機するもので（ステップＡ０６）、シャッタキーが操作されたと判断した時点で、直ちに警告制御部３０により警告投影部３１の投影ランプ３２の点灯を停止させ（ステップＡ０７）、それから撮影動作を実行し、得られる画像データをメモリカード２９に記録して（ステップＡ０８）、以上で一連の処理を終える。
【００５９】
このように、自動合焦のための制御動作を全く行なわない固定焦点式のレンズ光学系１２を有するデジタルスチルカメラ１０で、ユーザがレンズ光学系１２の合焦範囲を正確に把握しておらずとも、被写体Ｓに警告画像ＷＩが投影されているのが見えるか、見えないかによって、至近側のピンボケとなる撮影距離を容易に認識し、失敗なく撮影することが可能となる。
【００６０】
加えて、実際の撮影時には投影ランプ３２の点灯を一時的に停止し、被写体Ｓへの警告画像ＷＩの投影を停止するようにしたため、意図的あるいは間違って合焦範囲を外れた至近側にある被写体Ｓを撮影した場合であっても、実際の撮影画像中に警告画像ＷＩを写し込んでしまうことはあり得ない。
【００６１】
なお、上記実施形態では、電源投入後に警告投影部３１の投影ランプ３２を点灯駆動するものとして説明したが、特定周期で間欠的に点灯するべく点滅駆動するものとしてもよく、そうすることでよりユーザへの視認性を高めることができると共に、電力消費を抑制して容量が制限されているデジタルスチルカメラ１０の電源となる電池を有効に利用できる。
【００６２】
（第２の実施形態）
以下本発明を固定焦点式のデジタルスチルカメラに適用した場合の第２の実施形態について図面を参照して説明する。
【００６３】
なお、その回路構成については、上記図１に示したものと基本的に同様であるので、同一部分には同一符号を用いるものとして、その図示及び説明は省略する。
【００６４】
また、ここではキー入力部２７のシャッタキーが２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【００６５】
加えて、上記警告投影部３１の投影ランプ３２は、例えばＲ（赤），Ｇ（緑），Ｂ（青）の３個の発光ダイオードからなっており、標準では例えば３個同時に点灯することで混色して白色光を発するが、警告制御部３０の制御に基づいて個々の点灯／消灯と点灯時の輝度調整を行なうことにより任意の色や明るさに可変できるものとする。
【００６６】
次に上記実施形態の動作について説明する。
図４は、電源を投入してから撮影を実行するまでの一連の処理の流れを示すものであり、デジタルスチルカメラ１０内の動作については制御部２２がその制御を司る。
【００６７】
処理当初にはキー入力部２７の電源キーの操作により電源が投入されるのを待機し（ステップＢ０１）、電源が投入されたと判断した時点で次にキー入力部２７のシャッタキーが半押し操作されるのを待機する（ステップＢ０２）。
【００６８】
そして、キー入力部２７のシャッタキーが半押し操作されたと判断した時点で、警告制御部３０により警告投影部３１の投影ランプ３２を標準状態の白色光を発するように点灯させ（ステップＢ０３）、合わせてその時点でＣＣＤ１３により撮像している被写体の中心部の色と明るさとを画像データから検出して（ステップＢ０４）、その検出結果により投影ランプ３２での発光の色の明るさを調整する（ステップＢ０５）。
【００６９】
これは、例えば被写体の中心位置が明るい白であった場合に、警告投影部３１で赤色光を発することにより、赤い警告画像が近距離にある被写体上に投影されるようにするもので、そのような色と明るさの対応は予めテーブル化して制御部２２の動作プログラム中に記憶しておくものとする。
【００７０】
この状態でデジタルスチルカメラ１０のユーザが、モニタ表示部である表示部２６か、または光学ファインダを視認して、被写体上に警告画像が投影されているか否か、すなわち該警告映像が見えるか否かを判断する（ステップＢ０６）。
【００７１】
被写体上に警告画像が見えると判断した場合にのみ、該ユーザは被写体Ｓに警告画像ＷＩが投影されなくなるように一旦被写体Ｓから離れ（ステップＢ０７）、あらためて被写体Ｓを撮影するべく構図を決定する（ステップＢ０８）。
【００７２】
デジタルスチルカメラ１０内では、制御部２２がキー入力部２７のシャッタキーの全押し操作があったか否か（ステップＢ０９）、半押し操作状態が維持されているか否か（ステップＢ１０）を繰返し判断することで、該シャッタキーの半押し状態が維持されたまま、さらに全押し操作されるのを待機する。
【００７３】
しかして、上記ステップＢ０７，Ｂ０８での処理のようにユーザが撮影位置を変更するなどによってシャッタキーの半押し操作状態が解除された場合、上記ステップＢ１０でこれを判断し、警告制御部３０による警告投影部３１の投影ランプ３２の点灯を停止した上で（ステップＢ１１）、再び上記ステップＢ０２からの処理に戻る。
【００７４】
そして、上記ステップＢ０９でシャッタキーが全押し操作されたと判断した時点で、直ちに警告制御部３０により警告投影部３１の投影ランプ３２の点灯を停止させ（ステップＢ１２）、それから撮影動作を実行し、得られる画像データをメモリカード２９に記録して（ステップＢ１３）、以上で一連の処理を終える。
【００７５】
このように、警告投影部３１で被写体Ｓに投影する警告画像ＷＩの明るさ及び色の少なくとも一方を、被写体Ｓの明るさ及び色に対応して可変することにより、常に投影された警告画像ＷＩの有無をデジタルスチルカメラ１０のユーザに確実に認識させることができる。
【００７６】
（第３の実施形態）
以下本発明を固定焦点式のデジタルスチルカメラに適用した場合の第３の実施形態について図面を参照して説明する。
【００７７】
なお、その回路構成については、上記図１に示したものと基本的に同様であるので、同一部分には同一符号を用いるものとして、その図示及び説明は省略する。
【００７８】
また、ここではキー入力部２７のシャッタキーが２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【００７９】
加えて、レンズ光学系１２は、通常の撮影範囲とは別に、一部のレンズの撮影光軸上の位置の切換えにより、通常の撮影範囲を大きく外れた、ごく至近側の一部範囲でのみ合焦するマクロ撮影を選択可能であるものとする。
【００８０】
ここでは、被写体からの距離が６ｃｍ〜３０ｃｍの範囲がマクロ撮影範囲で、３０［ｃｍ］〜∞が通常の撮影範囲とする。
【００８１】
次に上記実施形態の動作について説明する。
図５は、電源を投入してから撮影を実行するまでの一連の処理の流れを示すものであり、デジタルスチルカメラ１０内の動作については制御部２２がその制御を司る。
【００８２】
処理当初にはキー入力部２７の電源キーの操作により電源が投入されるのを待機し（ステップＣ０１）、電源が投入されたと判断した時点で次にマクロ撮影と通常撮影のいずれか一方を切換え選択した上で（ステップＣ０２）、キー入力部２７のシャッタキーが半押し操作されるのを待機する（ステップＣ０３）。
【００８３】
そして、キー入力部２７のシャッタキーが半押し操作されたと判断した時点で、マクロ撮影が選択されているか否か判断する（ステップＣ０４）。
【００８４】
ここで、マクロ撮影が選択されておらず、通常撮影であると判断した場合には、警告制御部３０により警告投影部３１の投影ランプ３２を点灯させ（ステップＣ０５）、その上でデジタルスチルカメラ１０のユーザが、モニタ表示部である表示部２６か、または光学ファインダを視認して、被写体上に警告画像が投影されているか否か、すなわち該警告映像が見えるか否かを判断する（ステップＣ０６）。
【００８５】
被写体上に警告画像が見えると判断した場合にのみ、該ユーザは被写体Ｓに警告画像ＷＩが投影されなくなるように一旦被写体Ｓから離れ（ステップＣ０７）、あらためて被写体Ｓを撮影するべく構図を決定する（ステップＣ０８）。
【００８６】
また、上記ステップＣ０４でマクロ撮影が選択されていると判断した場合には、通常の撮影範囲外はマクロ撮影範囲であるとして、警告制御部３０による警告投影部３１の投影ランプ３２の点灯を行なわず（ステップＣ０９）、その上でデジタルスチルカメラ１０のユーザにより被写体Ｓの構図の決定させる（ステップＣ１０）。
【００８７】
この際、投影ランプ３２の点灯に代えて、他の警告ランプやモニタ部である表示部２６での表示を用いた報知を行なうものとして、マクロ撮影の合焦位置の注意を促すものとしてもよい。
【００８８】
その後、デジタルスチルカメラ１０内では、制御部２２がキー入力部２７のシャッタキーの全押し操作があったか否か（ステップＣ１１）、半押し操作状態が維持されているか否か（ステップＣ１２）を繰返し判断することで、該シャッタキーの半押し状態が維持されたまま、さらに全押し操作されるのを待機する。
【００８９】
しかして、シャッタキーの半押し操作状態が解除された場合、上記ステップＣ１２でこれを判断し、警告制御部３０による警告投影部３１の投影ランプ３２を点灯させている場合には確実にこれを停止した上で（ステップＣ１３）、再び上記ステップＣ０３からの処理に戻る。
【００９０】
そして、上記ステップＣ１１でシャッタキーが全押し操作されたと判断した時点で、直ちに警告制御部３０により警告投影部３１の投影ランプ３２を点灯させている場合にはこれを停止させ（ステップＣ１４）、それから撮影動作を実行し、得られる画像データをメモリカード２９に記録して（ステップＣ１５）、以上で一連の処理を終える。
【００９１】
このように、レンズ光学系１２がマクロ撮影用の焦点距離に選択されている状態では、警告制御部３０による警告投影部３１の投影ランプ３２の点灯を停止し、警告画像ＷＩの被写体Ｓへの投影を行なわないものとした。
【００９２】
これは、マクロ撮影時の合焦範囲と通常撮影時の合焦範囲から外れた合焦できない範囲がほぼ同じであり、マクロ撮影時の合焦範囲から外れる範囲は狭いためである。
【００９３】
このとき、マクロ撮影時にあえて警告画像ＷＩの投影を停止し、代わって他の警告ランプや表示部２６での表示による報知を行なうものとして、マクロ撮影の合焦位置の注意を促すものとしてもよい。
【００９４】
また、上記ステップＣ０５で投影ランプ３２を点灯させて被写体上に投影される警告画像の内容は、マクロ撮影への切換えを促す内容にしてもよい。
【００９５】
（第４の実施形態）
以下本発明を固定焦点式のデジタルスチルカメラに適用した場合の第４の実施形態について図面を参照して説明する。
【００９６】
なお、その回路構成については、上記図１に示したものと基本的に同様であるので、同一部分には同一符号を用いるものとして、その図示及び説明は省略する。
【００９７】
また、ここではキー入力部２７のシャッタキーが２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【００９８】
加えて、レンズ光学系１２は、通常の撮影範囲とは別に、一部のレンズの撮影光軸上の位置の切換えにより、通常の撮影範囲を大きく外れた、ごく至近側の一部範囲でのみ合焦するマクロ撮影を選択可能であるものとする。
【００９９】
ここでは、被写体からの距離が６［ｃｍ］〜３０［ｃｍ］の範囲がマクロ撮影範囲で、３０［ｃｍ］〜∞が通常の撮影範囲とする。
【０１００】
これに対応して警告投影部３１の投影レンズ系３６も、通常の撮影範囲の合焦範囲を外れた至近側に合焦する一方で、切換操作によりマクロ撮影の合焦範囲を外れた至近側に合焦させることが可能であるものとする。
【０１０１】
次に上記実施形態の動作について説明する。
図６は、電源を投入してから撮影を実行するまでの一連の処理の流れを示すものであり、デジタルスチルカメラ１０内の動作については制御部２２がその制御を司る。
【０１０２】
処理当初にはキー入力部２７の電源キーの操作により電源が投入されるのを待機し（ステップＤ０１）、電源が投入されたと判断した時点で次にマクロ撮影と通常撮影のいずれか一方を切換え選択した上で（ステップＤ０２）、キー入力部２７のシャッタキーが半押し操作されるのを待機する（ステップＤ０３）。
【０１０３】
そして、キー入力部２７のシャッタキーが半押し操作されたと判断した時点で、マクロ撮影が選択されているか否か判断する（ステップＤ０４）。
【０１０４】
ここで、マクロ撮影が選択されておらず、通常撮影であると判断した場合には、警告制御部３０により警告投影部３１の投影ランプ３２を点灯させる（ステップＤ０６）。
【０１０５】
一方、マクロ撮影が選択されていると判断した場合には、警告投影部３１の投影レンズ系３６を、マクロ撮影の焦点距離に対応する合焦範囲から外れたさらに至近側に合焦させた状態で、投影ランプ３２を点灯させる（ステップＤ０５）。
【０１０６】
このように、その時点で選択している撮影状態に対応して合焦範囲を外れた至近側で警告画像ＷＩが被写体Ｓに投影されるよう投影ランプ３２を点灯させた上で、デジタルスチルカメラ１０のユーザが、モニタ表示部である表示部２６か、または光学ファインダを視認して、被写体上に警告画像が投影されているか否か、すなわち該警告映像が見えるか否かを判断する（ステップＤ０７）。
【０１０７】
被写体上に警告画像が見えると判断した場合にのみ、該ユーザは被写体Ｓに警告画像ＷＩが投影されなくなるように一旦被写体Ｓから離れ（ステップＤ０８）、あらためて被写体Ｓを撮影するべく構図を決定する（ステップＤ０９）。
【０１０８】
その後、デジタルスチルカメラ１０内では、制御部２２がキー入力部２７のシャッタキーの全押し操作があったか否か（ステップＤ１０）、半押し操作状態が維持されているか否か（ステップＤ１１）を繰返し判断することで、該シャッタキーの半押し状態が維持されたまま、さらに全押し操作されるのを待機する。
【０１０９】
しかして、シャッタキーの半押し操作状態が解除された場合、上記ステップＤ１１でこれを判断し、警告制御部３０による警告投影部３１の投影ランプ３２の点灯を停止した上で（ステップＤ１２）、再び上記ステップＤ０３からの処理に戻る。
【０１１０】
そして、上記ステップＤ１０でシャッタキーが全押し操作されたと判断した時点で、直ちに警告制御部３０により警告投影部３１の投影ランプ３２の点灯を停止させ（ステップＤ１３）、それから撮影動作を実行し、得られる画像データをメモリカード２９に記録して（ステップＤ１４）、以上で一連の処理を終える。
【０１１１】
このように、レンズ光学系１２が通常の焦点距離に加えてマクロ撮影用の焦点距離に切換える可変機構を有する場合には、その時点で選択されている焦点距離に対応して警告投影部３１の投影レンズ系３６の合焦位置も移動させることで、特に合焦範囲が大変狭いマクロ撮影にも対応して警告画像ＷＩを被写体Ｓへ正確に投影することができる。よって、マクロ撮影においても合焦範囲を外れた場合（つまり被写体に６［ｃｍ］より近い場合）にも、ユーザに確実に認識させることができる。
【０１１２】
また、ステップＤ０６で投影ランプ３２を点灯させて被写体上に投影される警告画像の内容は、マクロ撮影への切換を促す内容にしてもよい。
【０１１３】
（第５の実施形態）
以下本発明を固定焦点式のデジタルスチルカメラに適用した場合の第５の実施形態について図面を参照して説明する。
【０１１４】
なお、その回路構成については、上記図１に示したものと基本的に同様であるので、同一部分には同一符号を用いるものとして、その図示及び説明は省略する。
【０１１５】
また、ここではキー入力部２７のシャッタキーが２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【０１１６】
加えてレンズ光学系１２は、一部のレンズの撮影光軸上の位置の切換えにより、複数の焦点距離、例えばマクロ撮影用と標準用、及び望遠用の計３点を選択可能であるものとする。
【０１１７】
これに対応して警告投影部３１の投影レンズ系３６も、レンズ光学系１２での切換え動作に連動してそれぞれの焦点距離での合焦範囲を外れた至近側に合焦することが可能であるものとする。
【０１１８】
次に上記実施形態の動作について説明する。
図７は、電源を投入してから撮影を実行するまでの一連の処理の流れを示すものであり、デジタルスチルカメラ１０内の動作については制御部２２がその制御を司る。
【０１１９】
処理当初にはキー入力部２７の電源キーの操作により電源が投入されるのを待機し（ステップＥ０１）、電源が投入されたと判断した時点で次にユーザによりレンズ光学系１２をマクロ撮影用を含む複数の焦点距離のうちのいずれかに切換え選択させる（ステップＥ０２）。
【０１２０】
この選択された内容に合わせて警告投影部３１の投影レンズ系３６も、その時点で選択されているレンズ光学系１２の焦点距離の合焦範囲を外れる至近側で合焦するように切換え選択され（ステップＥ０３）、この状態でキー入力部２７のシャッタキーが半押し操作されるのを待機する（ステップＥ０４）。
【０１２１】
そして、キー入力部２７のシャッタキーが半押し操作されたと判断した時点で、警告制御部３０により警告投影部３１の投影ランプ３２を点灯させる（ステップＥ０５）。
【０１２２】
このように、その時点で選択している焦点距離に対応して合焦範囲を外れた至近側で警告画像ＷＩが被写体Ｓに投影されるよう投影ランプ３２を点灯させた上で、デジタルスチルカメラ１０のユーザが、モニタ表示部である表示部２６か、または光学ファインダを視認して、被写体上に警告画像が投影されているか否か、すなわち該警告映像が見えるか否かを判断する（ステップＥ０６）。
【０１２３】
被写体上に警告画像が見えると判断した場合にのみ、該ユーザは被写体Ｓに警告画像ＷＩが投影されなくなるように一旦被写体Ｓから離れ（ステップＥ０７）、あらためて被写体Ｓを撮影するべく構図を決定する（ステップＥ０８）。
【０１２４】
その後、デジタルスチルカメラ１０内では、制御部２２がキー入力部２７のシャッタキーの全押し操作があったか否か（ステップＥ０９）、半押し操作状態が維持されているか否か（ステップＥ１０）を繰返し判断することで、該シャッタキーの半押し状態が維持されたまま、さらに全押し操作されるのを待機する。
【０１２５】
しかして、シャッタキーの半押し操作状態が解除された場合、上記ステップＥ１０でこれを判断し、警告制御部３０による警告投影部３１の投影ランプ３２の点灯を停止した上で（ステップＥ１１）、再び上記ステップＥ０４からの処理に戻る。
【０１２６】
そして、上記ステップＥ０９でシャッタキーが全押し操作されたと判断した時点で、直ちに警告制御部３０により警告投影部３１の投影ランプ３２の点灯を停止させ（ステップＥ１２）、それから撮影動作を実行し、得られる画像データをメモリカード２９に記録して（ステップＥ１３）、以上で一連の処理を終える。
【０１２７】
このように、２焦点レンズや多焦点レンズのようにレンズ光学系１２が複数の焦点距離の可変機構を有する場合には、その時点で選択されている焦点距離の合焦範囲を外れた至近側の位置に対応して警告投影部３１の投影レンズ系３６の合焦位置を移動させることで、常に正しく警告画像ＷＩを被写体Ｓに投影させることができる。よって、レンズ光学系１２が複数の焦点距離に切り換えられた場合でも、合焦範囲を外れたことをユーザに確実に認識させることができる。
【０１２８】
特に、レンズ光学系１２が上述した如くマクロ撮影用の焦点距離の可変機構を有している場合には、合焦範囲が大変狭いマクロ撮影に際して警告画像ＷＩの被写体Ｓへの投影をより有効に活用できる。
【０１２９】
（第６の実施形態）
以下本発明を固定焦点式のデジタルスチルカメラに適用した場合の第６の実施形態について図面を参照して説明する。
【０１３０】
なお、その回路構成については、上記図１に示したものと基本的に同様であるので、同一部分には同一符号を用いるものとして、その図示及び説明は省略する。
【０１３１】
また、ここではキー入力部２７のシャッタキーが２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【０１３２】
次に上記実施形態の動作について説明する。
図８は、電源を投入してから撮影を実行するまでの一連の処理の流れを示すものであり、デジタルスチルカメラ１０内の動作については制御部２２がその制御を司る。
【０１３３】
処理当初にはキー入力部２７の電源キーの操作により電源が投入されるのを待機し（ステップＦ０１）、電源が投入されたと判断した時点で次に縦横センサ３７の検出信号により、その時点でこのデジタルスチルカメラ１０がユーザにより縦位置に保持されているか否かを判断する（ステップＦ０２）。
【０１３４】
ここで、縦横センサ３７の検出信号によりデジタルスチルカメラ１０が縦に保持されていると判断した場合にのみ、該検出信号の内容によりデジタルスチルカメラ１０が右または左に略９０°回転して縦位置で保持されているものとし、その回転方向に対応してモータ３３により投影パネル３５を回転駆動させる（ステップＦ０３）。
【０１３５】
その後、キー入力部２７のシャッタキーが半押し操作されるのを待機する（ステップＦ０４）。キー入力部２７のシャッタキーが半押し操作されたと判断した時点で、警告制御部３０により警告投影部３１の投影ランプ３２を点灯させる（ステップＦ０５）。
【０１３６】
このように、合焦範囲を外れた至近側で警告画像ＷＩが被写体Ｓに投影されるよう投影ランプ３２を点灯させた上で、デジタルスチルカメラ１０のユーザが、モニタ表示部である表示部２６か、または光学ファインダを視認して、被写体上に警告画像が投影されているか否か、すなわち該警告映像が見えるか否かを判断する（ステップＦ０６）。
【０１３７】
被写体上に警告画像が見えると判断した場合にのみ、該ユーザは被写体Ｓに警告画像ＷＩが投影されなくなるように一旦被写体Ｓから離れ（ステップＦ０７）、あらためて被写体Ｓを撮影するべく構図を決定する（ステップＦ０８）。
【０１３８】
その後、デジタルスチルカメラ１０内では、制御部２２がキー入力部２７のシャッタキーの全押し操作があったか否か（ステップＦ０９）、半押し操作状態が維持されているか否か（ステップＦ１０）を繰返し判断することで、該シャッタキーの半押し状態が維持されたまま、さらに全押し操作されるのを待機する。
【０１３９】
しかして、シャッタキーの半押し操作状態が解除された場合、上記ステップＦ１０でこれを判断し、警告制御部３０による警告投影部３１の投影ランプ３２の点灯を停止した上で（ステップＦ１１）、再び上記ステップＦ０４からの処理に戻る。
【０１４０】
そして、上記ステップＦ０９でシャッタキーが全押し操作されたと判断した時点で、直ちに警告制御部３０により警告投影部３１の投影ランプ３２の点灯を停止させ（ステップＦ１２）、それから撮影動作を実行し、得られる画像データをメモリカード２９に記録して（ステップＦ１３）、以上で一連の処理を終える。
【０１４１】
このように、その時点でデジタルスチルカメラ１０が保持されている縦横位置に対応して投影パネル３５をモータ３３により回転駆動し、警告画像ＷＩが常に正しい向きでユーザに提示されるようにしたため、例えば上記図３に示した如く警告画像ＷＩが文字や記号等を含む場合であってもユーザがその内容を認識し易くなる。
【０１４２】
もちろん、上記のように縦横センサ３７の検出信号によりデジタルスチルカメラ１０が縦位置に保持されているか否かを判断することは、上記第１の実施形態乃至第５の実施形態においても同様に行なうことができることは言うまでもない。
【０１４３】
なお、上記第６の実施形態では、縦横センサ３７の検出信号によりデジタルスチルカメラ１０が縦位置に保持されているか否かを判断するようにしたが、本発明はこれに限るものではなく、例えばキー入力部２７のシャッタキーとして横位置で撮影する場合に操作するシャッタキーと、縦位置で撮影する場合に操作するシャッタキーとを別に設け、そのいずれかが半押し操作されたと判断した時点で操作されたシャッタキーに対応して上記投影パネル３５をモータ３３により回転駆動させるものとしてもよい。
【０１４４】
また、上記投影パネル３５は、透明フィルムに警告画像ＷＩを投影するための光像を形成したものとして説明したが、透過型の液晶表示パネルで構成し、その時点でのデジタルスチルカメラ１０の保持方向によって該液晶表示パネルに表示する警告画像ＷＩの内容を可変するものとしてもよく、そうすることでモータ３３による回転駆動機構の構成を省くことができる。
【０１４５】
なお、上記第１乃至第６の実施形態では、例えば図３で示したような投影パネル３５に形成された警告画像ＷＩを被写体Ｓに投影するものとして説明したが、例えば赤色光のような単なる警告を表す光線ではなく、このように具体的に文字や記号、シンボルマーク等を用いて撮像レンズ系の合焦範囲外を意味する警告画像を投影することとした。
【０１４６】
そのため、その画像を見たユーザは即座に警告の内容からピンボケとなる状態を理解することができ、速やかにそのような状態を回避するべく対処できる。
【０１４７】
図９は、上記図３で示した警告画像ＷＩに代わる他の警告画像を例示するものであり、図９（Ａ）は「マクロ撮影へ」の移行を文字により表現したもの、図９（Ｂ）は一般にマクロ撮影を意味する花のシンボルマークを用いてマクロ撮影への移行を促すものである。
【０１４８】
これら図９（Ａ），（Ｂ）の警告映像は共に、上記第３の実施形態の図５のステップＣ０５や、上記第４の実施形態の図６のステップＤ０６において通常の合焦範囲での撮影を選択している状態から、ピンボケとなる虞が大きいためにマクロ撮影への移行を促す場合に特に有効であるものと考えられる。
【０１４９】
また、図１０は、そのような他の撮影状態への移行を促すのではなく、単にそのままでは適正なピントでの撮影が行なえないことを示すものであり、図１０（Ａ）は人物を表すシンボルマークに「×」印を組み合わせたもの、図１０（Ｂ）はカメラを表すシンボルマークに交通標識の「禁止」を意味する記号を組み合わせたものである。
【０１５０】
このような警告画像を用いることで、より直感的に認識できるようにデジタルスチルカメラ１０のユーザにピンボケとなる状態を警告することができる。
【０１５１】
なお、上記第１乃至第６の実施形態はいずれも本発明をデジタルスチルカメラに適用した場合について説明したものであるが、本発明はこれに限らず、銀塩フィルムを使用するカメラ、ビデオムービーカメラ、あるいはカメラ機能を有する携帯電話機等にも適用可能であることは言及するまでもない。
【０１５２】
その他、本発明は上記実施の形態に限らず、その要旨を逸脱しない範囲内で種々変形して実施することが可能であるものとする。
【０１５３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１５４】
【発明の効果】
請求項１記載の発明によれば、自動合焦のための制御動作を全く行なわない固定焦点式の撮像装置で、ユーザがその装置固有の合焦範囲を把握しておらずとも、特に至近側のピンボケとなる撮影距離を容易に認識し、失敗なく撮影することが可能となる。
【０１５５】
請求項２記載の発明によれば、上記請求項１記載の発明の効果に加えて、光源の発光を撮影画像中に写し込んでしまうのを確実に防止できる。
【０１５６】
請求項３記載の発明によれば、上記請求項１記載の発明の効果に加えて、被写体の色や明るさに対応して常に投影の有無をユーザに確実に認識させることができる。
【０１５７】
請求項４記載の発明によれば、上記請求項１記載の発明の効果に加えて、撮像レンズ系の合焦範囲外を意味する、例えば文字や記号、シンボルマーク等、ユーザがより理解し易い形態で警告画像を投影することで、ピンボケとなる状態をより容易にユーザに認識させることができる。
【０１５８】
請求項５記載の発明によれば、上記請求項１記載の発明の効果に加えて、多焦点レンズを有する装置でも、その時点で選択している焦点距離に対応して正しく警告のための投影位置を移動させることができる。
【０１５９】
請求項６記載の発明によれば、上記請求項１記載の発明の効果に加えて、特に合焦範囲が大変狭いマクロ撮影に際して有効に活用できる。
【０１６０】
請求項７記載の発明によれば、上記請求項６記載の発明の効果に加えて、マクロ撮影時の合焦範囲は通常撮影時の合焦範囲から外れた合焦できない範囲がほぼ同じであり、マクロ撮影時の合焦範囲から外れる範囲は狭いため、マクロ撮影時には上記投影を停止し、代わって他の警告ランプやモニタ部での報知を行なうものとして、マクロ撮影の合焦位置の注意を促すことも有効となる。
【０１６１】
請求項８記載の発明によれば、上記請求項４記載の発明の効果に加えて、その時点で装置本体が保持されている縦横位置に対応して投影内容が常に正しい向きで提示されるため、ユーザが認識し易い。
【０１６２】
請求項９記載の発明によれば、自動合焦のための制御動作を全く行なわない固定焦点式の撮像装置で、ユーザがその装置固有の合焦範囲を把握しておらずとも、特に至近側のピンボケとなる撮影距離を容易に認識し、失敗なく撮影することが可能となる。
【図面の簡単な説明】
【図１】本発明の第１の実施形態に係るデジタルカメラの回路構成を示すブロック図。
【図２】同実施形態に係る撮影時の処理内容を示すフローチャート。
【図３】同実施形態に係る被写体への近距離警告投影状態を例示する斜視図。
【図４】本発明の第２の実施形態に係る撮影時の処理内容を示すフローチャート。
【図５】本発明の第３の実施形態に係る撮影時の処理内容を示すフローチャート。
【図６】本発明の第４の実施形態に係る撮影時の処理内容を示すフローチャート。
【図７】本発明の第５の実施形態に係る撮影時の処理内容を示すフローチャート。
【図８】本発明の第６の実施形態に係る撮影時の処理内容を示すフローチャート。
【図９】上記各実施形態に係る他の近距離警告投影画像を例示する図。
【図１０】上記各実施形態に係る他の近距離警告投影画像を例示する図。
【符号の説明】
１０…デジタルスチルカメラ
１１…モータ（Ｍ）
１２…レンズ光学系
１３…ＣＣＤ
１４…タイミング発生器（ＴＧ）
１５…垂直ドライバ
１６…サンプルホールド（Ｓ／Ｈ）回路
１７…Ａ／Ｄ変換器
１８…カラープロセス回路
１９…ＤＭＡコントローラ
２０…ＤＲＡＭインタフェース（Ｉ／Ｆ）
２１…ＤＲＡＭ
２２…制御部
２３…ＶＲＡＭコントローラ
２４…ＶＲＡＭ
２５…デジタルビデオエンコーダ
２６…表示部
２７…キー入力部
２８…ＪＰＥＧ回路
２９…メモリカード
３０…警告制御部
３１…警告投影部
３２…投影ランプ
３３…モータ（Ｍ）
３４…リフレクタ
３５…投影パネル
３６…投影レンズ系
３７…縦横センサ
Ｓ…被写体
ＷＩ…警告画像
【図１】
2004163833.tif 000003
【図２】
2004163833.tif 000004
【図３】
2004163833.tif 000005
【図４】
2004163833.tif 000006
【図５】
2004163833.tif 000007
【図６】
2004163833.tif 000008
【図７】
2004163833.tif 000009
【図８】
2004163833.tif 000010
【図９】
2004163833.tif 000011
【図１０】
2004163833.tif 000012